【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
画面に画像を表示する表示手段と、
前記画面を構成する複数の分割領域のそれぞれについて個別に発光を制御可能な発光手段と、
前記分割領域毎に、その分割領域に表示される画像の特徴量を取得する取得手段と、
前記発光手段の発光を制御する制御手段と、
を有し、
前記制御手段は、
前記複数の分割領域のうち、動画のみが表示される動画領域では、当該動画領域の特徴量に基づく輝度で発光し、
前記複数の分割領域のうち、動画と静止画の両方が表示される混在領域では、所定の輝度で発光するように、
前記発光手段の発光を制御する
ことを特徴とする表示装置。
【請求項２】
画面に画像を表示する表示手段と、
前記画面を構成する複数の分割領域のそれぞれについて個別に発光を制御可能な発光手段と、
前記分割領域毎に、その分割領域に表示される画像の特徴量を取得する取得手段と、
前記発光手段の発光を制御する制御手段と、
を有し、
前記制御手段は、
動画が表示される複数の分割領域のうち、静止画のみが表示される分割領域である静止画領域からの距離が所定値以上の分割領域では、当該分割領域の特徴量に基づく輝度で発光し、
動画が表示される前記複数の分割領域のうち、静止画領域からの距離が前記所定値未満の分割領域では、所定の輝度で発光するように、
前記発光手段の発光を制御する
ことを特徴とする表示装置。
【請求項３】
前記制御手段は、静止画のみが表示される分割領域である静止画領域では、基準の輝度
で発光するように、前記発光手段の発光を制御し、
前記所定の輝度は、前記基準の輝度と略等しい輝度である
ことを特徴とする請求項１または２に記載の表示装置。
【請求項４】
前記制御手段は、静止画のみが表示される分割領域である静止画領域では、当該静止画領域の特徴量に基づく輝度で発光するように、前記発光手段の発光を制御し、
前記所定の輝度は、混在領域内における静止画の特徴量に基づく輝度である
ことを特徴とする請求項１に記載の表示装置。
【請求項５】
前記制御手段は、静止画領域では、当該静止画領域の特徴量に基づく輝度で発光するように、前記発光手段の発光を制御し、
前記所定の輝度は、周辺の静止画領域の特徴量に基づく輝度である
ことを特徴とする請求項２に記載の表示装置。
【請求項６】
前記制御手段は、各混在領域において、その混在領域における静止画の面積が所定の面積以上である場合には、各分割領域で特徴量に基づく輝度で発光するように、前記発光手段の発光を制御する
ことを特徴とする請求項１に記載の表示装置。
【請求項７】
前記取得手段で取得された特徴量に基づく輝度で前記発光手段を発光させたときと、前記制御手段で決定された輝度で前記発光手段を発光させたときとで、動画の前記画面上の明るさが変化しないように、動画を補正する補正手段をさらに有する
ことを特徴とする請求項１〜６のいずれか１項に記載の表示装置。
【請求項８】
前記制御手段は、混在領域が存在しない場合には、各分割領域で特徴量に基づく輝度で発光するように、前記発光手段の発光を制御する
ことを特徴とする請求項１に記載の表示装置。
【請求項９】
静止画と共に動画を表示する場合は、静止画と動画をピクチャ・イン・ピクチャ表示する場合、または、静止画と動画をピクチャ・アウト・ピクチャ表示する場合である
ことを特徴とする請求項１〜８のいずれか１項に記載の表示装置。
【請求項１０】
複数の画像を共に表示する場合に、画像毎に、静止画か動画かを判定する判定手段をさらに有する
ことを特徴とする請求項１〜９のいずれか１項に記載の表示装置。
【請求項１１】
複数の画像を入力する入力手段と、
前記入力手段で入力された複数の画像に基づく複数の画像を合成し、複数の画像を共に表示するための合成画像を生成する合成手段と、
をさらに有する
ことを特徴とする請求項１〜１０のいずれか１項に記載の表示装置。
【請求項１２】
画面に画像を表示する表示手段と、
前記画面を構成する複数の分割領域のそれぞれについて個別に発光を制御可能な発光手段と、
を有する表示装置の制御方法であって、
前記分割領域毎に、その分割領域に表示される画像の特徴量を取得する取得ステップと、
前記発光手段の発光を制御する制御ステップと、
を有し、
前記制御ステップでは、
前記複数の分割領域のうち、動画のみが表示される動画領域では、当該動画領域の特徴量に基づく輝度で発光し、
前記複数の分割領域のうち、動画と静止画の両方が表示される混在領域では、所定の輝度で発光するように、
前記発光手段の発光を制御する
ことを特徴とする表示装置の制御方法。
【請求項１３】
画面に画像を表示する表示手段と、
前記画面を構成する複数の分割領域のそれぞれについて個別に発光を制御可能な発光手段と、
を有する表示装置の制御方法であって、
前記分割領域毎に、その分割領域に表示される画像の特徴量を取得する取得ステップと、
前記発光手段の発光を制御する制御ステップと、
を有し、
前記制御ステップでは、
動画が表示される複数の分割領域のうち、静止画のみが表示される分割領域である静止画領域からの距離が所定値以上の分割領域では、当該分割領域の特徴量に基づく輝度で発光し、
動画が表示される前記複数の分割領域のうち、静止画領域からの距離が前記所定値未満の分割領域では、所定の輝度で発光するように、
前記発光手段の発光を制御する
ことを特徴とする表示装置の制御方法。
【請求項１４】
前記制御ステップでは、静止画のみが表示される分割領域である静止画領域で、基準の輝度で発光するように、前記発光手段の発光を制御し、
前記所定の輝度は、前記基準の輝度と略等しい輝度である
ことを特徴とする請求項１２または１３に記載の表示装置の制御方法。
【請求項１５】
前記制御ステップでは、静止画のみが表示される分割領域である静止画領域で、当該静止画領域の特徴量に基づく輝度で発光するように、前記発光手段の発光を制御し、
前記所定の輝度は、混在領域内における静止画の特徴量に基づく輝度である
ことを特徴とする請求項１２に記載の表示装置の制御方法。
【請求項１６】
前記制御ステップでは、静止画領域で、当該静止画領域の特徴量に基づく輝度で発光するように、前記発光手段の発光を制御し、
前記所定の輝度は、周辺の静止画領域の特徴量に基づく輝度である
ことを特徴とする請求項１３に記載の表示装置の制御方法。
【請求項１７】
前記制御ステップでは、各混在領域において、その混在領域における静止画の面積が所定の面積以上である場合には、各分割領域で特徴量に基づく輝度で発光するように、前記発光手段の発光を制御する
ことを特徴とする請求項１２に記載の表示装置の制御方法。
【請求項１８】
前記取得ステップで取得された特徴量に基づく輝度で前記発光手段を発光させたときと、前記制御ステップで決定された輝度で前記発光手段を発光させたときとで、動画の前記画面上の明るさが変化しないように、動画を補正する補正ステップをさらに有する
ことを特徴とする請求項１２〜１７のいずれか１項に記載の表示装置の制御方法。
【請求項１９】
前記制御ステップでは、混在領域が存在しない場合には、各分割領域で特徴量に基づく輝度で発光するように、前記発光手段の発光を制御する
ことを特徴とする請求項１２に記載の表示装置の制御方法。
【請求項２０】
静止画と共に動画を表示する場合は、静止画と動画をピクチャ・イン・ピクチャ表示する場合、または、静止画と動画をピクチャ・アウト・ピクチャ表示する場合である
ことを特徴とする請求項１２〜１９のいずれか１項に記載の表示装置の制御方法。
【請求項２１】
複数の画像を共に表示する場合に、画像毎に、静止画か動画かを判定する判定ステップをさらに有する
ことを特徴とする請求項１２〜２０のいずれか１項に記載の表示装置の制御方法。
【請求項２２】
複数の画像を入力する入力ステップと、
前記入力ステップで入力された複数の画像に基づく複数の画像を合成し、複数の画像を共に表示するための合成画像を生成する合成ステップと、
をさらに有する
ことを特徴とする請求項１２〜２１のいずれか１項に記載の表示装置の制御方法。